(57)【要約】【課題】  換気フードにおいて室内空気を排出した時に室内空気で壁面が汚れることがある。また、室外の風雨が室内へ侵入しない構成とするには、換気フードの排気口を壁面よりできるだけ距離をとる必要があるが、この発明は換気性能を落とさず、小型化と壁面の汚れ防止ができる換気フードを得る。【解決手段】  通気口に形成した複数のガラリを筒体の外周面に設けて、この複数のガラリの室内側は外側に向かっての傾斜角度が鋭角となるようにし、室外側に設けたガラリの傾斜角度が鈍角となるようにして、開口面積を所定に保って、壁面から排気口までの距離を小さくしても壁面の汚れ防止を行うことができる構成とした。【選択図】  図１
2005043004.tif 000002
【特許請求の範囲】
【請求項１】
建物に設けられた通気用開口部の室外側にとりつけられるフランジとこのフランジに一端が接続され、多端に風雨防止板を接続した風ガイド筒体、この風ガイド筒体の外周に一体形成した複数個の通気口と、前記通気口に対応して切り起こしにより複数枚のガラリを設け、このガラリを屋外側に傾斜させて前記筒体外側に突設させた換気フード。
【請求項２】
前記複数枚のガラリの傾斜角を室内側のガラリを鋭角となし、順次屋外側に設けたガラリが屋外側に向かって鈍角となるよう傾斜させた請求項１記載の換気フード。
【発明の詳細な説明】
【技術分野】
【０００１】
この発明は、建物の壁面に設けられた換気用の開口部に用いる換気フードの改良に関するものである。
【背景技術】
【０００２】
従来の換気フードは特開平９−２６４５７８号図１記載のようにフード部の左右の側面と下面に開口部を設け、左右側面の開口部には上下方向にガラリを設け、また、そのガラリの面を壁面と平行の面より同じ角度約２０度の方向に室内の空気が排出されるようにした構造となっている。
【０００３】
【特許文献１】特開平９−２６４５７８号公報（図１、図２）
【発明の開示】
【発明が解決しようとする課題】
【０００４】
特開平９−２６４５７８号公報の従来の換気フードにおいて、図２で示すガラリ１６、１８では、室内より排気された空気によって壁面への汚れ防止として、壁面から空気が排気されるガラリまでの距離を設けるためにフード部１２を設けている。この場合、壁面から換気フード先端までの寸法が大きく、壁面より換気フードが大きく突出するので建物の外観の見栄えが悪い等の不具合や、換気フード本体が大きくなる等の不具合があった。
【０００５】
また、換気フードを小型化した場合においても室内より排気された空気が換気フードを通過した後壁面の美観を保つために汚れないようにしておくことが必要である。
【課題を解決するための手段】
【０００６】
この発明に係る換気フードは、壁面に取付けたフランジに接続した室外空気吹出し用の筒体の開口部を壁面に近接させて形成し、前記開口部に設ける複数のガラリを筒体外周から室外方向にむかって傾斜するようにして突出させ、壁面から室内空気の吹出し口までの距離を短い寸法とするとともに、壁面が室内空気で汚れないように構成し、かつ、壁面から換気フードの突出距離がすくない小型の換気フードを提供するものである。
【０００７】
また、前記の換気フードにおいて、フードの筒体外週の開口部に室内の壁面に近接したガラリの傾斜角を室外側に向かって順次鈍角となるよう構成して、換気フードから吹出す風は室内側の開口部からの風が壁面に接触しない構成としている。こうすることにより、壁面に近い吹き出し口では壁面とは逆のフード方向に対し排気されるため、壁面への汚れ防止性能が向上できるようにしたものである。さらにガラリが順次鈍角となっているので送風時の圧力損失はガラリが鋭角（開口面積が小さい）ほど大きくなるが、外側でのガラリの圧力損失性能が改善される構成とした。
【発明の効果】
【０００８】
この発明は換気フードの筒体に複数のガラリをフードの筒体外側に設け、このガラリを室外側に傾斜させたことにより、壁面から吹出し口までの距離を小さくしても、室外側に傾斜させたため、壁面への汚れ防止を確保でき、かつ、吹出し時の圧力損失も少なくなるよう構成したものである
【発明を実施するための最良の形態】
【０００９】
実施の形態１．      
以下、この発明の実施の形態１を図により説明する。図１において室内の壁Ａに設けた換気口Ｂにダクト接続筒体４は挿入され室内空気を排出するように円筒状となっている。この接続筒体４にはフランジ３が設けてある。このフランジ３は壁面の外側にネジ等で固着して換気フード本体１をとりつける。換気フード１はフードの正面からの風雨から屋内への進入を防ぐための風雨防止板１aを設けている。この風雨防止版１aには取付け金具５が固着されている。この金具５の先端５aは外周に通気口Ｅを持つ風ガイド筒体２に設けた取付け孔２dに挿入されて、風雨防止板１aと風ガイド筒体2が一体となるよう接続している。風ガイド筒体2の外周には通気口Ｅが複数形成されている。この通気口Ｅには切り起こしによりそれぞれガラリ２a、２b、２cが設けてある。
【００１０】
風ガイド筒体２は風雨防止板１aとフランジ３の中間に位置しており、上部・下部、横方向から直接接続筒体４より風雨が屋内への進入を防ぐために設けられている。また、ガラリ２ａ、２b、２cは風ガイド筒体２には切り起こしにより一体形成されている。なお、ガラリ２ａ、２b、２cは壁面Ａと反対の外側方向へ異なった角度で傾斜して風ガイド筒体２の外周に設けてある。
【００１１】
風雨防止板１aの下側は下側フード取付金具６の先端６aが風ガイド筒体２に設けた取付け孔７に系合してネジ８により着脱自在に取付けられている。又取付け金具の一端６bは風雨防止板１aに溶接等により固着している。
【００１２】
図２、図４は風ガイド筒体２の部品図で通気口Ｅの各々に形成したガラリ２ａ、２b、２cの各々を示している。ガラリ２ａ、２b、２cは傾斜角度Ａ，Ｂ，Ｃを風雨防止板に近い側Ａから壁面に近い側Ｃに向かうにつれて傾斜角度が鋭角となるようしている。
【００１３】
このように構成しているので換気口より排出される汚れた室内は接続筒体を通過して、風ガイド筒体２の通気口Ｅより室外に排出されるが、ガラリ２ａ、２b、２cにより壁面より外側に案内されて送風されるので壁面を汚すことが防止できる、また、換気フード本体も壁面と近接した場所に通気口を設けることができるので小型化可能である。
【００１４】
また、ガラリ２ａ、２b、２cの角度を各々異なる角度として、排気の圧力損失を少なくしているので、送風機の能力等も大きくすることなく、換気フードも小型化可能となる。
【００１５】
実施の形態２．
実施の形態２を図３により説明する。風ガイド筒体２の上部には通気口Ｅと外側へ突出したガラリ２ａ、２b、２c、形成しない構成としている。こうすることにより、上部からの風雨の進入が無い為、より良い風雨進入防止を向上させることができる。
【００１６】
また、風ガイド筒体２の通気口Ｅの外側に所定の傾斜角度を設けてガラリを室外側に向かって形成しているので、壁面に近い吹き出し口では壁面とは逆の方向、すなわち風雨防止板１a方向に対し排気されるため、壁面への汚れ防止性能が向上できる。
【００１７】
また、室外側のガラリは通気抵抗を少なくするように開口面積を大きくしているので、換気フードの換気性能も向上する。
【図面の簡単な説明】
【００１８】
【図１】この発明の実施の形態１を示す換気フードの断面図である。
【図２】この発明の実施の形態１に使用した風ガイド筒体の部品図である。
【図３】この発明の実施の形態２に使用するガラリの部品図である。
【図４】この発明の実施の形態１に使用するガラリ部分拡大図である。
【符号の説明】
【００１９】
１  換気フード、  １ａ  風雨防止板、  ２  風ガイド筒体、  ２ａ・２ｂ・２ｃ  ガラリ、  ３  フランジ、  ４  ダクト接続風路、  ５  上側フード取付金具、  ６  下側フード取付金具、  ７  取付け孔、
Ａ  壁面、  Ｂ  換気口、  Ｅ  通気口
【図１】
2005043004.tif 000003
【図２】
2005043004.tif 000004
【図３】
2005043004.tif 000005
【図４】
2005043004.tif 000006